(57)【要約】      （修正有）【課題】従来は、圧着棒の中央部分に使用想定範囲を越える過度の荷重がかかり、かつ圧着棒の剛性がそれに耐えきれない場合は、圧着棒が荷重方向に撓み、遂には壁面よりずり落ちてしまう不都合があった。過度の荷重がかかっても突っ張り力を損なわない突っ張り支持体を提供する。【解決手段】支持体に過度の荷重が加わり撓んでその支持体の両端部間の長さが短くなり下方にずり落ちようとした場合、保持部が当接部のテーパー面Ｔ１，Ｔ２に沿って摺動し壁面から離隔する方向に移動するので支持体の両端部間の短くなった長さ分を吸収する事となる。支持体の端面と保持部との接触面位置より壁面から離れた位置にテーパー面を設けているのでテーパー面を介して伸長方向に押し戻そうとする突っ張り力は弱まること無く働き、摩擦抵抗が生じてずり落ちを防止する効果が得られる。【選択図】図５
2020025794.tif 000002
【特許請求の範囲】
【請求項１】
壁面間に突っ張り力をもって圧着固定される支持体において、
支持体を保持し突っ張り力を当接部に伝える保持部と保持部から壁面へ突っ張り力を伝える当接部を設ける構成とし、
上記保持部は片側面で支持体の端面と接する面を有し他側面で当接部と接する面を有し、
上記当接部は片側面で保持部と接する面を有し他側面で壁面と接する面を有し、
上記保持部と上記当接部の接する面は下方に向かうに従い壁面から離隔するテーパー面に構成して設け、
上記支持体の端面と上記保持部との接触面位置より壁面から離れた位置に上記テーパー面を設け、
上記当接部を上記支持体又は支持体及び上記保持部に摺動自在に設けたことを特徴とする突っ張り支持体。
【発明の詳細な説明】
【技術分野】
【０００１】
本発明は、突っ張り力により壁面間に圧着固定される支持体に関する。
【背景技術】
【０００２】
例えば、押入れや廊下等で、釘や木ねじを使用できないような場所において壁面間に突っ張り力をもって圧着固定される突っ張り棒やこれを複数本備えた突っ張り棚が広く知られている。
本発明では、上記の突っ張り棒類と突っ張り棚類を総称して突っ張り支持体と記載した。
【０００３】
しかし、上記の突っ張り支持体には次のような問題点があった。先ず、突っ張り支持体全般の問題点として、壁面間への保持を一定の突っ張り力による摩擦抵抗によっているので例えば、過度の負荷が加わった場合にはこの負荷が摩擦抵抗に打ち勝って突っ張り支持体が壁面よりずり落ちてしまう不都合があった。
【０００４】
また、突っ張り支持体には、支持体の長さを調整する事で、その突っ張り力を調節する種類のものが存するが（公知例としては特許文献１）、この場合には振動等によって支持体の長さ調整機構部が縮小方向に緩み、遂には壁面よりずり落ちてしまう不都合があった。
【０００５】
以上の問題点を解消した公知発明として特許文献２に記載の圧着棒が存する。図１にこの圧着棒の詳細を示す。圧着棒の一端又は両端に圧着棒が回転自在に保持される保持部３０、５０を設けると共に、圧着棒と保持部の摺動面には両者の密着時に圧着棒の伸長方向の回転のみを許すラチエット機構Ｒ１、Ｒ２を設け、更に片側を壁面への当接面とすると共に、他側をテーパー面に構成した当接部４０、６０を一対用意し、これらのテーパー面を接触面として、当接部を圧着棒又は圧着棒及び保持部に摺動自在に設けてある。この圧着棒の棒体２０は外筒１０の内に進退自在に挿入し、この内筒内部および外筒内部にコイルばねＳを挿入し、このコイルばねＳの一端を外筒１０のピン１２に固定するし、棒体２０の内部にこのコイルばねに螺合自在に係合するピン状のガイド部材２２を設けることにより、棒体を外筒に対し伸長方向の弾性力をもって螺合手段により進退自在に設けてある。この機構で棒体２０を回転することにより、外筒１０の内を棒体２０が進退し、ガイド部材２２はコイルばねＳによって支持されるので棒体２０の進退に応じた弾性力（突っ張り力）をもって圧着固定する事となる。
【０００６】
図中符号６０は当接部であり、保持部５０を介して前記の棒体２０に連結される。この当接部６０は片側を壁面Ｗへの当接面とすると共に、他側を下方に向かうに従い壁面から離隔するテーパー面としたものであり、上記の保持部５０の一端に設けた摺動子５１をテーパー面側に設けた摺動溝６１に抜け止め手段をもって摺嵌することにより、保持部５０はテーパー面に対し摺動自在に設けられる。
【０００７】
この圧着棒は壁面Ｗ、Ｗ間に突っ張り力をもって圧着固定される。保持部５０はそれぞれ当接部６０に摺動自在に設けられているので、圧着棒に過度の荷重が加わって下方にずり落ちようとした場合には、その端部は下方に向かうに従い壁面から離隔する当接部のテーパー面を摺動する結果、縮小方向に移動するので、それを伸長方向に押し戻そうという弾性力（突っ張り力）により、より強い摩擦抵抗が生じてずり落ちが防止されることとなる（図２〜図３参照）。
【先行技術文献】
【特許文献】
【０００８】
【特許文献１】実公昭５６−８７８号公報
【特許文献２】特許第２８３８４８７号公報
【発明の概要】
【発明が解決しようとする課題】
【０００９】
前記の特許文献２記載の圧着棒は使用想定範囲内で、当接部のテーパー面により、圧着棒のずり落ちを防止する効果がある。しかしながら、圧着棒の中央部分に使用想定範囲を越える過度の荷重がかかり、かつ圧着棒の剛性がそれに耐えきれない場合は、図４に示すように圧着棒が荷重方向に撓み、その全長が短くなる現象を生じる可能性があった。この場合、保持部５０はその一端に設けた摺動子５１が抜け止め手段をもって当接部６０に摺嵌されているので、圧着棒の撓みに伴い当接部が壁面から離れる方向に引っ張られ、遂には壁面よりずり落ちてしまう不都合があった。
【００１０】
本発明は、前記従来技術の問題点改善のため創作したもので、使用想定範囲を越える過度の荷重がかかっても突っ張り力を損なわない突っ張り支持体を提供する事を課題とする。
【課題を解決するための手段】
【００１１】
本発明は、前記従来技術の問題点改善のため創作したもので、荷重により撓んでも突っ張り力を損なわない突っ張り支持体を提供することを目的とする。
【００１２】
図５に本発明の構成を示す。支持体７０と、支持体の両端に配され伸長方向の突っ張り力を伝える保持部と当接部と、が壁面間に突っ張り力をもって圧着固定される。突っ張り支持体は、支持体を保持し突っ張り力を当接部に伝える保持部３０，５０と保持部から壁面へ突っ張り力を伝える当接部４０，６０を設ける構成とし、上記保持部は片側面で支持体の端面と接する面を有し他側面で当接部と接する面を有し、上記当接部は片側面で保持部と接する面を有し他側面で壁面と接する面を有し、上記保持部と上記当接部の接する面は下方に向かうに従い壁面から離隔するテーパー面Ｔ１，Ｔ２に構成して設け、上記支持体の端面と上記保持部との接触面位置より壁面から離れた位置に上記テーパー面を設け、上記当接部を上記支持体又は支持体及び上記保持部に摺動自在に設けたことを特徴とする。
【００１３】
棚板と棚板の両端に配され伸長方向の突っ張り力を伝える保持部と当接部と、が壁面間に突っ張り力をもって圧着固定される突っ張り棚も本発明の突っ張り支持体と同様の構造である事を実施例で開示する。
【発明の効果】
【００１４】
本発明の突っ張り支持体によれば、図６に示す様に支持体７０に過度の荷重が加わって仮に支持体が撓んでその支持体の両端部間の長さが撓み無い状態の長さＬ１から撓んだ状態の長さＬ２へと短くなり下方にずり落ちようとした場合、保持部３０，５０が当接部４０，６０のテーパー面Ｔ１，Ｔ２に沿って摺動し壁面から離隔する方向に移動するので支持体の両端部間の短くなった長さ分を吸収する事となる。支持体の端面と保持部との接触面位置より壁面から離れた位置にテーパー面を設けているのでテーパー面を介して伸長方向に押し戻そうとする弾性力（突っ張り力）は弱まること無く働き、摩擦抵抗が生じてずり落ちを防止する効果が得られる。
【図面の簡単な説明】
【００１５】
【図１】従来技術の圧着棒の側面図。
【図２】従来技術の圧着棒の側面図。
【図３】従来技術の圧着棒の作用を示す説明図。
【図４】従来技術の圧着棒の作用を示す説明図。
【図５】本発明の突っ張り支持体の側面図。
【図６】実施の形態１の突っ張り支持体の作用を示す説明図。
【図７】実施の形態２の突っ張り支持体の作用を示す説明図。
【図８】実施の形態３の突っ張り支持体の作用を示す説明図。
【発明を実施するための形態】
【００１６】
以下、本発明の実施の形態を３例、図面を参照して詳細に説明する。
【実施例】
【００１７】
（実施の形態１）
図５，図６は本発明の実施の形態１である突っ張り支持体の具体的実施例を示す側面図である。支持体７０は突っ張り棒で伸長方向の突っ張り力がある。その突っ張り力が保持部と当接部とを介して壁面を押す力となり摩擦抵抗が生じて突っ張り棒が壁からずり落ちる事無く圧着固定される。
【００１８】
図６に示す様に支持体７０に過度の荷重が加わると保持部３０，５０が当接部４０，６０のテーパー面Ｔ１，Ｔ２に沿って摺動し壁面から離隔する方向に移動するので支持体の撓みで両端部間の短くなった長さ分を吸収する事となる。支持体の端面と保持部との接触面位置より壁面から離れた位置にテーパー面を設けているのでテーパー面を介して伸長方向に押し戻そうという弾性力（突っ張り力）は弱まること無く働き、摩擦抵抗が生じてずり落ちを防止する効果が得られる。
【００１９】
支持体７０に伸長方向の突っ張り力がある突っ張り棚を本発明を用いて壁面間に設置しても同様に過度の荷重に対して棚のずり落ちを防止する効果がある事は明白である。
【００２０】
（実施の形態２）
図７は本発明の実施の形態２である棚板での具体的実施例を示す側面図である。棚板８０に伸長方向の突っ張り力を発生させるコイルバネＳを保持部３０に設けている。その突っ張り力が当接部を介して壁面を押す力となり摩擦抵抗が生じて棚板が壁からずり落ちる事無く圧着固定される。
【００２１】
図７に示す様に棚板８０に過度の荷重が加わると保持部３０，５０が当接部４０，６０のテーパー面Ｔ１，Ｔ２に沿って摺動し壁面から離隔する方向に移動するので棚板の撓みで両端部間の短くなった長さ分を吸収する事となる。棚板の端面と保持部に設けたコイルバネとの接触位置より壁面から離れた位置にテーパー面を設けているのでテーパー面を介して伸長方向に押し戻そうという弾性力（突っ張り力）は弱まること無く働き、摩擦抵抗が生じてずり落ちを防止する効果が得られる。
【００２２】
棚板８０の代わりに伸長方向の突っ張り力がない棒体を本発明を用いて壁面間に設置しても同様に過度の荷重に対して棒体のずり落ちを防止する効果がある事は明白である。
【００２３】
（実施の形態３）
図８は本発明の実施の形態３である棚板での具体的実施例を示す側面図である。棚板８０に伸長方向の突っ張り力を発生させるコイルバネＳを保持部３０に設けている。更に棚板の端面と保持部３０，５０との接触面位置より壁面に近い位置にテーパー面Ｔ３，Ｔ４を追加で設けている。テーパー面Ｔ１とテーパー面Ｔ３は同じ角度であり、テーパー面Ｔ２とテーパー面Ｔ４は同じ角度であり、テーパー面Ｔ１，Ｔ３を介して保持部３０と当接部４０が摺動自在に接し、テーパー面Ｔ２，Ｔ４を介して保持部５０と当接部６０が摺動自在に接している。コイルバネＳによる伸長方向の弾性力（突っ張り力）が当接部を介して壁面を押す力となり摩擦抵抗が生じて棚板が壁からずり落ちる事無く圧着固定される。
【００２４】
図８に示す様に棚板８０に過度の荷重が加わると保持部３０，５０が当接部４０，６０のテーパー面Ｔ１，Ｔ３，Ｔ２，Ｔ４に沿って摺動し壁面から離隔する方向に移動するので棚板の撓みで両端部間の短くなった長さ分を吸収する事となる。棚板の端面と保持部に設けたコイルバネとの接触位置より壁面から離れた位置にテーパー面Ｔ１，Ｔ２を設けているのでテーパー面を介して伸長方向に押し戻そうという弾性力（突っ張り力）は弱まること無く働き、摩擦抵抗が生じてずり落ちを防止する効果が得られる。また追加したテーパー面Ｔ３，Ｔ４を介しても伸長方向に押し戻そうという弾性力（突っ張り力）が働くので実施の形態２より安定して壁面を押す力を伝えられる。
【００２５】
棚板８０の代わりに伸長方向の突っ張り力がない棒体を本発明を用いて壁面間に設置しても同様に過度の荷重に対して棒体のずり落ちを防止する効果がある事は明白である。
【符号の説明】
【００２６】
１０    外筒
２０    棒体
３０    保持部
４０    当接部
５０    保持部
６０    当接部
７０    支持体
８０    棚板
Ｌ１    撓みの無い支持体の長さ
Ｌ２    撓んだ支持体の長さ
Ｌ３    撓みの無い棚板の長さ
Ｌ４    撓んだ棚板の長さ
Ｔ１    テーパー面
Ｔ２    テーパー面
Ｔ３    テーパー面
Ｔ４    テーパー面
Ｗ      壁面
【図１】
2020025794.tif 000003
【図２】
2020025794.tif 000004
【図３】
2020025794.tif 000005
【図４】
2020025794.tif 000006
【図５】
2020025794.tif 000007
【図６】
2020025794.tif 000008
【図７】
2020025794.tif 000009
【図８】
2020025794.tif 000010